(57)【特許請求の範囲】
【請求項１】
物体側から像側へ順に配置された、正の屈折力の第１レンズ群、負の屈折力の第２レンズ群、正の屈折力の第３レンズ群、開口絞り、負の屈折力の第４レンズ群、正の屈折力の第５レンズ群より構成され、ズーミングに際して隣り合うレンズ群の間隔が変化するズームレンズであって、
前記第３レンズ群は２つ以上の正レンズと１つ以上の負レンズを有し、
望遠端における前記第１レンズ群と前記第２レンズ群の合成焦点距離をｆ１２ｔ、前記第４レンズ群の焦点距離をｆｎ、前記第３レンズ群の焦点距離をｆ３、望遠端における全系の焦点距離をｆｔ、前記第３レンズ群において最も広い空気間隔よりも物体側に配置されたレンズから成る第３ａ群の焦点距離をｆ３ａとするとき、
１．５０＜｜ｆ１２ｔ｜／ｆ３＜２．２０
０．２８＜｜ｆｎ｜／ｆｔ＜０．５９
０．８０＜ｆ３ａ／ｆ３≦１．６３
なる条件式を満足することを特徴とするズームレンズ。
【請求項２】
広角端における前記第５レンズ群の横倍率をβｋｗとするとき、
０．３０＜βｋｗ＜０．８０
なる条件式を満足することを特徴とする請求項１に記載のズームレンズ。
【請求項３】
０．１０＜ｆ３／ｆｔ＜０．４０
なる条件式を満足することを特徴とする請求項１又は２に記載のズームレンズ。
【請求項４】
前記第１レンズ群は１つ以上の負レンズと１つ以上の正レンズを有し、ズーミングに際して前記第１レンズ群は移動し、前記第１レンズ群の焦点距離をｆ１とするとき、
０．５０＜ｆ１／ｆｔ＜１．２０
なる条件式を満足することを特徴とする請求項１乃至３のいずれか１項に記載のズームレンズ。
【請求項５】
前記第２レンズ群は１つ以上の負レンズと１つ以上の正レンズを有し、ズーミングに際して前記第２レンズ群は移動し、前記第２レンズ群の焦点距離をｆ２とするとき、
０．１０＜｜ｆ２｜／ｆｔ＜０．２４
なる条件式を満足することを特徴とする請求項１乃至４のいずれか１項に記載のズームレンズ。    
【請求項６】
請求項１乃至５のいずれか１項に記載のズームレンズと、該ズームレンズによって形成される像を受光する固体撮像素子とを有することを特徴とする撮像装置。
【発明の詳細な説明】
【技術分野】
【０００１】
本発明は、ズームレンズ及びそれを有する撮像装置に関し、ビデオカメラやデジタルスチルカメラ等の電子カメラ、フィルム用カメラ、放送用カメラ等に好適に用いられるものである。
【背景技術】
【０００２】
近年、撮像装置は小型化され、それに用いられている撮像素子は、高感度でしかも大型化されている。このような撮像素子を備える撮像装置で用いるズームレンズには、深度の浅い（ボケが強調された）画像が得られる大口径比であること、そしてテレセントリック性が良く、しかも全系が小型であること等が要求されている。大口径比化を図りつつ全系の小型化を図るにはレンズ鏡筒径を小さくする必要がある。レンズ鏡筒径を小さくするには、絞りユニットの光軸方向の位置を適切に設定し、開口絞りの絞り径が小さくなるようにする必要がある。
【０００３】
一定の口径比を有しつつ、開口絞りの絞り径を小さくするには、開口絞りの光軸方向の位置をレンズ系のなるべく像側に設定するのが良い。従来、開口絞りをレンズ系中の像側に配置し、絞りユニットの径を小さくしたズームレンズが知られている（特許文献１，２）。
【０００４】
特許文献１は正の屈折力の第１レンズ群、負の屈折力の第２レンズ群、負の屈折力の第３レンズ群、正の屈折力の第４Ａ群、開口絞り、正の屈折力の第４Ｂ群よりなり、ズーミングに際して各レンズ群が移動するズームレンズを開示している。特許文献２は物体側から像側へ順に、正，負，正，負，正，負の屈折力の第１レンズ群乃至第６レンズ群よりなり、第３レンズ群と第４レンズ群との間に開口絞りを設けている。そしてズーミングに際して各レンズ群が移動するズームレンズを開示している。
【０００５】
また全系が比較的小型で高ズーム比のズームレンズとして、最も物体側に正の屈折力のレンズ群を配置した、所謂ポジティブリードタイプのズームレンズが知られている（特許文献３，４）。
【０００６】
特許文献３では物体側より像側へ順に、正，負，正，負，正の屈折力の５つのレンズ群より成り、開口絞りを第３レンズ群中に配置している。そしてズーミングに際して３つ以上のレンズ群が移動するズームレンズを開示している。特許文献４では物体側から像側へ順に、正，負，正，正，負，正の屈折力の第１レンズ群乃至第６レンズ群よりなり、開口絞りを第３レンズ群の像側又は第４レンズ群の像側に配置している。そしてズーミングに際して第１，第３，第４，第５レンズ群が移動するズームレンズを開示している。
【先行技術文献】
【特許文献】
【０００７】
【特許文献１】特開２００９−２５１１１２号公報
【特許文献２】特開平０７−０７７６５６号公報
【特許文献３】特開２０１１−７５９７５号公報
【特許文献４】特開２０１２−０５３４４４号公報
【発明の概要】
【発明が解決しようとする課題】
【０００８】
撮像装置に用いるズームレンズには、高ズーム比、大口径比で全ズーム範囲にわたり高い光学性能を有し、テレセントリック性が良く、しかも全系が小型であること等が要求されている。特にレンズ鏡筒径が小さく、全系が小型であること等が強く要求されている。これらの要求を満足するには、各レンズ群のレンズ構成、各レンズ群の屈折力、そして開口絞りの位置等を適切に設定することが重要である。これらの構成が適切でないと、鏡筒径が増大し、全系が大型化してくる。更にズーミングに伴う諸収差の変動が増大し、大口径比化を図りつつ、全ズーム範囲にわたり高い光学性能を得るのが大変難しくなってくる。
【０００９】
特に開口絞りの光軸方向の位置や、最終レンズ群（最も像側に近いレンズ群）の屈折力等を適切に設定しないと、撮像素子に入射する軸外光線の入射角が大きくなり、テレセントリック性を良好に維持するのが困難になってくる。
【００１０】
本発明は、大口径比で、かつ全ズーム範囲にわたり高い光学性能が得られる小型のズームレンズ及びそれを有する撮像装置を提供することを目的とする。
【課題を解決するための手段】
【００１１】
本発明のズームレンズは、物体側から像側へ順に配置された、正の屈折力の第１レンズ群、負の屈折力の第２レンズ群、正の屈折力の第３レンズ群、開口絞り、負の屈折力の第４レンズ群、正の屈折力の第５レンズ群より構成され、ズーミングに際して隣り合うレンズ群の間隔が変化するズームレンズであって、
前記第３レンズ群は２つ以上の正レンズと１つ以上の負レンズを有し、
望遠端における前記第１レンズ群と前記第２レンズ群の合成焦点距離をｆ１２ｔ、前記第４レンズ群の焦点距離をｆｎ、前記第３レンズ群の焦点距離をｆ３、望遠端における全系の焦点距離をｆｔ、前記第３レンズ群において最も広い空気間隔よりも物体側に配置されたレンズから成る第３ａ群の焦点距離をｆ３ａとするとき、
１．５０＜｜ｆ１２ｔ｜／ｆ３＜２．２０
０．２８＜｜ｆｎ｜／ｆｔ＜０．５９
０．８０＜ｆ３ａ／ｆ３≦１．６３
なる条件式を満足することを特徴としている。
【発明の効果】
【００１２】
本発明によれば、大口径比で、かつ全ズーム範囲にわたり高い光学性能が得られる小型のズームレンズが得られる。
【図面の簡単な説明】
【００１３】
【図１】本発明の実施例１のレンズ断面図
【図２】（Ａ），（Ｂ）  本発明の実施例１の広角端と望遠端における収差図
【図３】本発明の実施例２のレンズ断面図
【図４】（Ａ），（Ｂ）  本発明の実施例２の広角端と望遠端における収差図
【図５】本発明の実施例３のレンズ断面図
【図６】（Ａ），（Ｂ）  本発明の実施例３の広角端と望遠端における収差図
【図７】本発明の参考例１のレンズ断面図
【図８】（Ａ），（Ｂ）  本発明の参考例１の広角端と望遠端における収差図
【図９】本発明の参考例２のレンズ断面図
【図１０】（Ａ），（Ｂ）  本発明の参考例２の広角端と望遠端における収差図
【図１１】本発明の撮像装置の要部概略図
【発明を実施するための形態】
【００１４】
以下、本発明のズームレンズ及びそれを有する撮像装置の実施例について説明する。本発明のズームレンズは、物体側から像側へ順に、正の屈折力の第１レンズ群、負の屈折力の第２レンズ群、正の屈折力の第３レンズ群、開口絞り、少なくとも１つの負の屈折力のレンズ群を有する中間群、正の屈折力の最終レンズ群より構成されている。ズーミングに際して隣り合うレンズ群の間隔が変化する。ここで屈折力とは光学的パワーのことであり、焦点距離の逆数である。
【００１５】
図１は本発明の実施例１のズームレンズの広角端（短焦点距離端）において無限遠物体に合焦したときのレンズ断面図である。図２（Ａ）、（Ｂ）は実施例１のズームレンズの広角端と望遠端（長焦点距離端）において無限遠物体に合焦させたときの縦収差図である。図３は本発明の実施例２のズームレンズの広角端において無限遠物体に合焦したときのレンズ断面図である。図４（Ａ）、（Ｂ）は実施例２のズームレンズの広角端と望遠端において無限遠物体に合焦させたときの縦収差図である。
【００１６】
図５は本発明の実施例３のズームレンズの広角端において無限遠物体に合焦したときのレンズ断面図である。図６（Ａ）、（Ｂ）は実施例３のズームレンズの広角端と望遠端において無限遠物体に合焦させたときの縦収差図である。図７は本発明の参考例１のズームレンズの広角端において無限遠物体に合焦したときのレンズ断面図である。図８（Ａ）、（Ｂ）は参考例１のズームレンズの広角端と望遠端において無限遠物体に合焦させたときの縦収差図である。
【００１７】
図９は本発明の参考例２のズームレンズの広角端において無限遠物体に合焦したときのレンズ断面図である。図１０（Ａ）、（Ｂ）は参考例２のズームレンズの広角端と望遠端において無限遠物体に合焦させたときの縦収差図である。図１１は本発明のズームレンズを備えるカメラ（撮像装置）の要部概略図である。各実施例のズームレンズはビデオカメラやデジタルカメラ、そして銀塩フィルムカメラ等の撮像装置に用いられる撮像レンズ系である。
【００１８】
レンズ断面図において、左方が物体側（前方）で、右方が像側（後方）である。レンズ断面図において、ｉは物体側からレンズ群の順番を示し、Ｌｉは第ｉレンズ群である。ＬＭは１以上の負の屈折力のレンズ群を有する中間群である。Ｎは中間群ＬＭを構成するレンズ群のうち負の屈折力が最も大きい（負の屈折力の絶対値が最も大きい）レンズ群である。ＬＲは最も物体側に位置する正の屈折力の最終レンズ群である。第３レンズ群Ｌ３における最も広い空気間隔の物体側に第３ａ群Ｌ３ａ、像側に第３ｂ群Ｌ３ｂが配置されている。
【００１９】
実施例１，２，３では、物体側より像側へ順に、正の屈折力の第１レンズ群Ｌ１、負の屈折力の第２レンズ群Ｌ２、正の屈折力の第３レンズ群Ｌ３、負の屈折力の第４レンズ群Ｌ４、正の屈折力の第５レンズ群Ｌ５より構成されている。そしてズーミングに際して各レンズ群が互いに異なる軌跡で移動する。実施例１，２，３では第４レンズ群Ｌ４が中間群ＬＭに相当する。また第４レンズ群Ｌ４がレンズ群Ｎに相当する。
【００２０】
参考例１では、物体側より像側へ順に、正の屈折力の第１レンズ群Ｌ１、負の屈折力の第２レンズ群Ｌ２、正の屈折力の第３レンズ群Ｌ３、負の屈折力の第４レンズ群Ｌ４、負の屈折力の第５レンズ群Ｌ５、正の屈折力の第６レンズ群Ｌ６より構成されている。ズーミングに際して各レンズ群が互いに異なる軌跡で移動する。参考例１では第４レンズ群Ｌ４と第５レンズ群Ｌ５が中間群ＬＭに相当する。また第４レンズ群Ｌ４がレンズ群Ｎに相当する。
【００２１】
参考例２では、物体側より像側へ順に、正の屈折力の第１レンズ群Ｌ１、負の屈折力の第２レンズ群Ｌ２、正の屈折力の第３レンズ群Ｌ３、正の屈折力の第４レンズ群Ｌ４、負の屈折力の第５レンズ群Ｌ５、正の屈折力の第６レンズ群Ｌ６より構成されている。ズーミングに際して各レンズ群が互いに異なる軌跡で移動する。参考例２では第４レンズ群Ｌ４と第５レンズ群Ｌ５が中間群ＬＭに相当する。第５レンズ群Ｌ５がレンズ群Ｎに相当する。
【００２２】
各レンズ断面図において、ＳＰは開口絞りであり、第３レンズ群Ｌ３の像側に配置している。ＩＰは像面であり、ビデオカメラやデジタルスチルカメラの撮影光学系として使用する際にはＣＣＤセンサーやＣＭＯＳセンサーなどの固体撮像素子（光電変換素子）の撮像面が配置され、銀塩フィルム用カメラのときはフィルム面が配置される。
【００２３】
球面収差図において、実線はｄ線、二点鎖線はｇ線である。非点収差図において点線のＭはメリディオナル像面、実線のＳはサジタル像面である。倍率色収差はｇ線について示している。ωは半画角、ＦｎｏはＦナンバーである。尚、以下の各実施例において広角端と望遠端は各レンズ群が機構上光軸上を移動可能な範囲の両端に位置したときのズーム位置をいう。矢印は広角端から望遠端へのズーミングにおける各レンズ群の移動軌跡を示している。またフォーカシングに際しての移動方向を示している。
【００２４】
各実施例のズームレンズは、物体側から像側へ順に、正の屈折力の第１レンズ群Ｌ１、負の屈折力の第２レンズ群Ｌ２、正の屈折力の第３レンズ群Ｌ３、開口絞りＳＰより構成されている。更に少なくとも１つの負の屈折力のレンズ群を有する中間群ＬＭ、正の屈折力の最終レンズ群ＬＲより構成されている。そしてズーミングに際して隣り合うレンズ群の間隔が変化する。
【００２５】
第３レンズ群Ｌ３は２つ以上の正レンズと１つ以上の負レンズを有している。望遠端における第１レンズ群Ｌ１と第２レンズ群Ｌ２の合成焦点距離をｆ１２ｔとする。中間群ＬＭを構成するレンズ群のうち負の屈折力の絶対値が最も大きいレンズ群Ｎの焦点距離をｆｎとする。第３レンズ群Ｌ３の焦点距離をｆ３、望遠端における全系の焦点距離をｆｔとする。このとき、
１．５０＜｜ｆ１２ｔ｜／ｆ３＜２．２０  ・・・（１）
０．２８＜｜ｆｎ｜／ｆｔ＜０．５９      ・・・（２）
なる条件式を満足する。
【００２６】
各実施例ではこのようにレンズ群の数及び各レンズ群の屈折力、そして開口絞りＳＰの位置等を特定することで、全系が小型でありながら良好なるテレセントリック性能を維持している。さらには、広角端から望遠端まで大口径であってズーミングに際しての収差変動を軽減している。
【００２７】
また、第３レンズ群Ｌ３を前述の如く４つのレンズより構成することにより、ズーミングに際して、球面収差やコマ収差などの諸収差の変動を軽減している。また開口絞りＳＰの位置については、絞りユニットの配置に要するスペースを考慮して可能なかぎり小径化するために、像側に配置している。尚、より望ましくは開口絞りＳＰを最も像側に配置するのが良い。
【００２８】
次に前述の各条件式の技術的意味について説明する。条件式（１）は第３レンズ群Ｌ３の焦点距離に対する望遠端における第１レンズ群Ｌ１と第２レンズ群Ｌ２の合成の焦点距離の比を規定する。条件式（１）の下限値を超えると絞りユニット径が大きくなり、ズームレンズの鏡筒径を小さく設定することが困難になる。逆に上限値を超えると、第３レンズ群Ｌ３の正の屈折力が大きくなりすぎ、ズーミングに際して、球面収差とコマ収差の変動が大きくなる。
【００２９】
条件式（２）は、中間群ＬＭに含まれる、負の屈折力の絶対値が最も大きいレンズ群Ｎと、望遠端における全系の焦点距離の比に関する。条件式（２）の下限値を超えると、レンズ群Ｎの負の屈折力が強くなりすぎて（負の屈折力の絶対値が大きくなり）ズーミングに際して収差変動が増大してくるので良くない。逆に上限値を超えると、レンズ全長が長くなってくる。更に好ましくは条件式（１），（２）の数値範囲を次の如く設定するのが良い。
【００３０】
１．６０＜｜ｆ１２ｔ｜／ｆ３＜２．１７  ・・・（１ａ）
０．２８＜｜ｆｎ｜／ｆｔ＜０．５５      ・・・（２ａ）
以上のように本発明によれば、全系の小型、小径化を図った大口径比のズームレンズが得られるが、更に好ましくは次の条件式のうち１つ以上を満足するのが良い。
【００３１】
広角端における最終レンズ群ＬＲの横倍率をβｋｗとする。第３レンズ群Ｌ３においては、最も広い空気間隔を境に物体側に配置された部分を第３ａ群Ｌ３ａとし、、像側に配置された部分を第３ｂ群Ｌ３ｂとする。第３ａ群Ｌ３ａの焦点距離をｆ３ａとする。第１レンズ群Ｌ１は１つ以上の負レンズと１つ以上の正レンズを有し、ズーミングに際して第１レンズ群Ｌ１は移動し、第１レンズ群Ｌ１の焦点距離をｆ１とする。第２レンズ群Ｌ２は１つ以上の負レンズと１つ以上の正レンズを有し、ズーミングに際して第２レンズ群Ｌ２は移動し、第２レンズ群Ｌ２の焦点距離をｆ２とする。
【００３２】
このとき次の条件式のうち１つ以上を満足するのが良い。
０．３０＜βｋｗ＜０．８０        ・・・（３）
０．１０＜ｆ３／ｆｔ＜０．４０    ・・・（４）
０．８０＜ｆ３ａ／ｆ３≦１．６３  ・・・（５）
０．５０＜ｆ１／ｆｔ＜１．２０    ・・・（６）
０．１０＜｜ｆ２｜／ｆｔ＜０．２４・・・（７）
【００３３】
尚、後述する実施例２，参考例１に対応する数値実施例２，４では第３レンズ群Ｌ３中のレンズ間隔は、いずれも０．１２となっている。しかしながら実際のレンズ間隔ｄ１７の値は０．１２４であり、各数値実施例では四捨五入して示している。従ってｄ１７で示す間隔が第３レンズ群Ｌ３中で最も広い空気間隔となる。このため図３，図７に示すように第３レンズ群Ｌ３において物体側の２つのレンズが第３ａ群Ｌ３ａであり、像側の２つのレンズが第３ｂ群Ｌ３ｂに相当している。
【００３４】
次に前述の各条件式の技術的意味について説明する。条件式（３）は、最終レンズ群ＬＲの広角端における横倍率を規定している。条件式（３）の下限値を超えると、最終レンズ群ＬＲの正の屈折力が強くなりすぎて、最終レンズ群ＬＲを複数のレンズで構成しなければならず、沈胴収納時に小型化を図るのが困難になる。逆に上限値を超えると、中間群ＬＭに配置される負の屈折力のレンズ群の屈折力によってセンサー（撮像素子）に対する軸外光線の入射角度が大きくなる、つまり像側瞳位置が短くなり、テレセントリック性が低下してくるため好ましくない。
【００３５】
条件式（４）は、第３レンズ群Ｌ３の焦点距離と望遠端における全系の焦点距離の比に関する。条件式（４）の下限値を超えると、第３レンズ群Ｌ３の正の屈折力が強くなりすぎて、ズーミングに際して球面収差、コマ収差等の諸収差の変動が増大してくる。逆に上限値を超えると、ズーミングに際して第３レンズ群Ｌ３の移動量が増大し、全系の小型化が困難になる。
【００３６】
条件式（５）は、第３レンズ群Ｌ３を構成する第３ａ群Ｌ３ａの焦点距離と、第３レンズ群Ｌ３の焦点距離の比に関する。条件式（５）の下限値を超えて第３ａ群Ｌ３ａの正の屈折力が大きくなると、ズーミングに際して球面収差と、コマ収差の変動が大きくなる。逆に上限値を超えると、第３レンズ群Ｌ３の主点位置が像側に位置するようになるため、全系の小型化が困難になる。
【００３７】
条件式（６）は、第１レンズ群Ｌ１の焦点距離と望遠端における全系の焦点距離の比に関する。条件式（６）の下限値を超えて、第１レンズ群Ｌ１の正の屈折力が強くなると像面彎曲が増大してくる。また上限値を超えると、レンズ全長が長くなり、全系の小型化が困難となる。
【００３８】
条件式（７）は、第２レンズ群Ｌ２の焦点距離と望遠端における全系の焦点距離の比に関する。条件式（７）の下限値を超えて、第２レンズ群Ｌ２の負の屈折力が強すぎると（負の屈折力の絶対値が大きくなると）像面彎曲が増大してくる。また上限値を超えると、レンズ全長が増大し、全系の小型化が困難になる。
【００３９】
更に好ましくは条件式（３）乃至（８）の数値範囲を次の如く設定するのが良い。
０．５０＜βｋｗ＜０．７９        ・・・（３ａ）
０．１８＜ｆ３／ｆｔ＜０．３１    ・・・（４ａ）
０．９０＜ｆ３ａ／ｆ３≦１．６３  ・・・（５ａ）
０．６０＜ｆ１／ｆｔ＜１．１０    ・・・（６ａ）
０．１１＜｜ｆ２｜／ｆｔ＜０．２０・・・（７ａ）
次に各実施例のレンズ構成について説明する。
【００４０】
図１を参照して、本発明の実施例１について説明する。実施例１のズームレンズは、物体側より像側へ順に、正の屈折力の第１レンズ群Ｌ１、負の屈折力の第２レンズ群Ｌ２、正の屈折力の第３レンズ群Ｌ３、負の屈折力の第４レンズ群Ｌ４、正の屈折力の第５レンズ群Ｌ５から構成されている。第４レンズ群Ｌ４は中間群ＬＭ、第５レンズ群Ｌ５は最終レンズ群ＬＲに相当している。
【００４１】
広角端から望遠端へのズーミングに際し、第１レンズ群Ｌ１は物体側へ移動する。尚、第１レンズ群Ｌ１はズーム中間域の画面周辺照度比を確保するために、像側に凸形状の軌跡を描きながら移動しても良い。第２レンズ群Ｌ２は像側に凸形状の軌跡で移動し、第３レンズ群Ｌ３は物体側へ移動して変倍を行っている。第４レンズ群Ｌ４と第５レンズ群Ｌ５は物体側に凸形状の軌跡で移動する。第３レンズ群Ｌ３は最も広い空気間隔を境に物体側に第３ａ群Ｌ３ａ、像側に第３ｂ群Ｌ３ｂよりなっている。第３ａ群Ｌ３ａは物体側から像側へ順に、正レンズ、負レンズよりなっている。
【００４２】
第３ｂ群Ｌ３ｂは正レンズ、負レンズより構成されている。第３レンズ群Ｌ３の像側に開口絞りＳＰが配置されている。第３レンズ群Ｌ３は２つ以上の正レンズと１つ以上の負レンズを有し、これにより、大口径比化を図りつつ、ズーミングに際して球面収差やコマ収差の変動を少なくしている。
【００４３】
開口絞りＳＰを第３レンズ群Ｌ３を像側に配置して、絞りユニット径が小さくなるようにしている。開口絞りＳＰを第３レンズ群Ｌ３の像側に配置とすると、広角端において軸外主光線がセンサーに対して大きな角度に入射するようになるが、このとき正の屈折力の最終レンズ群における横倍率を一定の範囲に設定する。これにより入射角度が大きくならないようにしてテレセントリック性を良好にしている。実施例１は前述の条件式（１）乃至（７）を満足しており、これにより前述した効果を得ている。
【００４４】
本実施例では撮影距離が変化したときのピント調整（フォーカシング）は、第３ａ群Ｌ３ａで実施している。以下、図３を参照して、本発明の実施例２について説明する。実施例２のズームレンズのレンズ群の数、各レンズ群の屈折力等は実施例１と同じである。広角端から望遠端へのズーミングに際し、第１レンズ群Ｌ１は物体側へ移動する。尚、第１レンズ群Ｌ１は、ズーム中間域の画面周辺照度比を確保するために像側へ凸形状の軌跡を描きながら移動しても良い。第２レンズ群Ｌ２乃至第５レンズ群Ｌ５はいずれも物体側へ移動する。
【００４５】
第３レンズ群Ｌ３の一部の第３ａ群Ｌ３ａは、物体側から像側へ順に、正レンズ、正レンズよりなり、第３ｂ群Ｌ３ｂは負レンズ、正レンズよりなっている。第３レンズ群Ｌ３の像側に開口絞りＳＰを配置している。このように、第３レンズ群Ｌ３の構成と開口絞りＳＰの位置を特定することにより、実施例１と同様の効果を得ている。
【００４６】
実施例２は前述の条件式（１）乃至（７）を満足しており、これにより前述した効果を得ている。本実施例では撮影距離が変化したときのピント調整は、第２レンズ群Ｌ２の最も像側の各レンズで実施している。
【００４７】
以下、図５を参照して、本発明の実施例３について説明する。実施例３のズームレンズはレンズ群の数、各レンズ群の屈折力等は実施例１と同じである。広角端から望遠端へのズーミングに際しての各レンズ群の移動は実施例１と同じである。第３レンズ群Ｌ３の第３ａ群Ｌ３ａは正レンズからなっている。第３ｂ群Ｌ３ｂは正レンズ、負レンズ、正レンズからなっている。第３レンズ群Ｌ３の像側に開口絞りＳＰを配置している。このように、第３レンズ群Ｌ３の構成と開口絞りＳＰの位置を特定することにより、実施例１と同様の効果を得ている。
【００４８】
実施例３は前述の条件式（１）乃至（７）を満足しており、これにより前述した効果を得ている。本実施例では撮影距離が変化したときのピント調整は、第２レンズ群Ｌ２で実施している。
【００４９】
以下、図７を参照して、本発明の参考例１について説明する。参考例１のズームレンズは、物体側より像側へ順に、正の屈折力の第１レンズ群Ｌ１、負の屈折力の第２レンズ群Ｌ２、正の屈折力の第３レンズ群Ｌ３、負の屈折力の第４レンズ群Ｌ４から構成されている。更に負の屈折力の第５レンズ群Ｌ５、正の屈折力の第６レンズ群Ｌ６から構成されている。
【００５０】
第４レンズ群Ｌ４と第５レンズ群Ｌ５は中間群ＬＭに相当し、第６レンズ群Ｌ６は最終レンズ群ＬＲに相当している。広角端から望遠端へのズーミングに際し、各レンズ群は互いに異なった軌跡で物体側へ移動する。第３レンズ群Ｌ３の第３ａ群Ｌ３ａは物体側から像側へ順に、正レンズ、正レンズよりなり、第３ｂ群Ｌ３ｂは負レンズ、正レンズよりなっている。第３レンズ群Ｌ３の像側に開口絞りＳＰを配置している。第３レンズ群Ｌ３の構成と開口絞りＳＰの位置を特定することにより、実施例１と同様の効果を得ている。  
【００５１】
参考例１では撮影距離が変化したときのピント調整としては、第２レンズ群Ｌ２の最も像側のレンズで行っている。以下、図９を参照して、本発明の参考例２について説明する。
【００５２】
参考例２のズームレンズは、物体側より像側へ順に、正の屈折力の第１レンズ群Ｌ１、負の屈折力の第２レンズ群Ｌ２、正の屈折力の第３レンズ群Ｌ３、正の屈折力の第４レンズ群Ｌ４から構成されている。更に負の屈折力の第５レンズ群Ｌ５、正の屈折力の第６レンズ群Ｌ６から構成されている。第４レンズ群Ｌ４と第５レンズ群Ｌ５は中間群ＬＭに相当し、第６レンズ群Ｌ６は最終レンズ群ＬＲに相当している。
【００５３】
広角端から望遠端へのズーミングに際し、第１レンズ群Ｌ１は物体側へ移動する。尚、第１レンズ群Ｌ１はズーム中間域の画面周辺照度比を確保するために、像側に凸形状の軌跡を描きながら移動しても良い。第２レンズ群Ｌ２は像側に凸形状の軌跡で移動する。第３レンズ群Ｌ３乃至第６レンズ群Ｌ６は、いずれも物体側に移動する。第３レンズ群Ｌ３の第３ａ群Ｌ３ａは物体側から像側へ順に、正レンズ、正レンズ、負レンズよりなり、第３ｂ群Ｌ３ｂは正レンズよりなっている。第３レンズ群Ｌ３の像側に開口絞りＳＰを配置している。
【００５４】
このように第３レンズ群Ｌ３の構成及び開口絞りＳＰの位置を特定することにより、実施例１と同様の効果を得ている。
【００５５】
次に本発明のズームレンズを用いた実施例を図１１を用いて説明する。図１１において、１０は一眼レフカメラ本体、１１は本発明によるズームレンズを搭載した交換レンズである。１２は交換レンズ１１を通して得られる被写体像を記録する銀塩フィルムや被写体像を受光する固体撮像素子（光電変換素子）などの感光面である。１３は交換レンズ１１からの被写体像を観察するファインダー光学系、１４は交換レンズ１１からの被写体像を感光面１２とファインダー光学系１３に切り替えて伝送するための回動するクイックリターンミラーである。
【００５６】
ファインダーで被写体像を観察する場合は、クイックリターンミラー１４を介してピント板１５に結像した被写体像をペンタプリズム１６で正立像としたのち、接眼光学系１７で拡大して観察する。１８はサブミラー、１９は自動焦点検出装置である。
【００５７】
撮影時にはクイックリターンミラー１４が矢印方向に回動して被写体像は感光面記録手段１２に形成される結像して記録される。このように本発明のズームレンズを一眼レフカメラ交換レンズ等の光学機器に適用することにより、高い光学性能を有した光学機器が実現できる。尚、本発明はクイックリターンミラーのないＳＬＲ（Ｓｉｎｇｌｅ  ｌｅｎｓ  Ｒｅｆｌｅｘ）カメラにも同様に適用することができる。また本発明のズームレンズはビデオカメラにも同様に適用することができる。
【００５８】
以下に、実施例１乃至３、参考例１，２に各々対応する数値実施例１乃至５を示す。各数値実施例において、ｉは物体側からの面の順番を示し、ｒｉは第ｉ番目（第ｉ面）の曲率半径、ｄｉは第ｉ面と第ｉ＋１面との間の間隔、ｎｄｉ、νｄｉはそれぞれ第ｉ番目のレンズの材料のｄ線を基準とした屈折率、アッベ数を示す。ＢＦはバックフォーカスである。レンズ全長は第１レンズ面から像面までの距離である。非球面データには、非球面を次式で表した場合の非球面係数を示す。
【００５９】
【数１】
0006406935.tif 000002
【００６０】
但し、
ｘ：光軸方向の基準面からの変位量
ｈ：光軸に対して垂直な方向の高さ
Ｒ：ベースとなる２次曲面の半径
ｋ：円錐定数
Ａｎ：ｎ次の非球面係数
なお、「ｅ−Ｚ」の表示は「１０−Ｚ」を意味する。又前述の各条件式と数値実施例における諸数値との関係を表１に示す。
【００６１】
（数値実施例１）
単位 mm
面データ
面番号       r        d      nd         vd       有効径
1         83.630    2.00   1.94595    18.0       50.55
2         56.329    4.84   1.69680    55.5       46.69
3        118.394    0.15                         44.31
4         37.508    5.23   1.69680    55.5       38.87
5        135.720  (可変)                         37.90
6        111.098    1.20   1.88300    40.8       29.97
7         13.991    7.31                         21.74
8        -34.445    0.90   1.80400    46.6       21.43
9         29.297    0.12                         21.12
10         25.901    3.36   2.00178    19.3       21.37
11*       924.715  (可変)                         21.16
12*        13.866    6.19   1.76802    49.2       21.32
13        116.210    0.12                         19.99
14*        16.899    0.52   1.84666    23.8       17.93
15         10.637    5.09                         16.06
16         20.341    3.92   1.59282    68.6       15.73
17        -32.483    0.15                         15.18
18        -30.949    0.70   1.92286    20.9       15.06
19        -86.436    1.34                         14.78
20(絞り)    ∞     (可変)                         13.76
21        795.325    0.70   1.69680    55.5       16.68
22         17.430    2.29   1.68893    31.1       16.94
23         26.588  (可変)                         17.12
24*        19.148    4.35   1.48749    70.2       21.03
25        187.841  (可変)                         21.16
像面        ∞   
【００６２】
非球面データ
第11面
K = 5.69819e+003  A 4= 1.68666e-006  A 6=-9.06463e-009
A 8= 2.71886e-010  A10=-1.17899e-012  
第12面
K =-5.08067e-001  A 4= 1.27424e-005  A 6= 5.68407e-009 
A 8= 3.97908e-010  
第14面
K =-5.12841e-001  A 4=-1.45830e-005  A 6=-2.79382e-008 
A 8=-2.06681e-009  A10= 6.24676e-012  
第24面
K = 0.00000e+000  A 4=-4.03606e-005  A 6= 8.14320e-008 
A 8=-7.37539e-010  A10= 2.06121e-012  
各種データ
ズーム比     4.71 
広角     中間     望遠
焦点距離      16.09    41.83    75.78  
Fナンバー      2.07     5.15     6.00  
半画角（度）  36.26    18.01    10.17  
像高          11.80    13.60    13.60  
レンズ全長   100.68   110.04   120.89  
BF            15.19    27.94    26.84  
d 5            0.58    12.48    22.70  
d11           24.56     7.30     1.39  
d20            2.63     7.73    17.32  
d23            7.27     4.13     2.17  
d25           15.19    27.94    26.84  
入射瞳位置    29.21    58.29   103.55  
射出瞳位置   -17.75   -18.76   -25.40  
前側主点位置  37.44    62.65    69.40  
後側主点位置  -0.90   -13.89   -48.94  
レンズ群データ
群   始面    焦点距離   レンズ構成長   前側主点位置   後側主点位置
Ｌ1    1      68.67        12.22         0.82         -6.24
Ｌ2    6     -13.81        12.88         1.91         -7.91
Ｌ3   12      21.56        18.03         2.70        -12.31
Ｌ4   21     -39.27         2.99         1.81          0.04
Ｌ5   24      43.37         4.35        -0.33         -3.23
単レンズデータ
レンズ  始面  焦点距離
1       1   -189.14
2       2    149.42
3       4     72.80
4       6    -18.23
5       8    -19.57
6      10     26.55
7      12     19.98
8      14    -35.25
9      16     21.70
10      18    -52.56
11      21    -25.58
12      22     66.66
13      24     43.37
【００６３】
（数値実施例２）
単位 mm
面データ
面番号       r        d      nd         vd       有効径
1         84.913    2.00   1.94595    18.0       41.34
2         51.982    6.37   1.69680    55.5       38.48
3        254.162    0.15                         37.22
4         35.333    5.08   1.69680    55.5       35.40
5        129.758  (可変)                         34.35
6         67.698    1.16   1.88300    40.8       23.62
7         12.426    5.75                         18.11
8        -30.195    1.16   1.88300    40.8       17.67
9         41.751    0.14                         17.33
10         27.001    3.17   1.94595    18.0       17.46
11        -60.641    2.89                         17.20
12*       -20.826    0.93   1.85400    40.4       15.64
13        -65.343  (可変)                         15.67
14*        21.180    3.89   1.69680    55.5       15.96
15         97.480    0.12                         15.37
16         19.716    7.15   1.59282    68.6       15.02
17        -49.409    0.12                         13.05
18         84.086    0.70   1.84666    23.8       12.52
19*        16.576    0.12                         11.80
20         16.150    3.91   1.48749    70.2       11.80
21       -167.499    1.16                         11.03
22(絞り)    ∞     (可変)                         10.45
23       1436.281    0.70   1.69680    55.5       10.93
24         17.737    2.15   1.84666    23.8       11.18
25         23.319  (可変)                         11.35
26*        19.197    4.50   1.48749    70.2       18.02
27         68.425  (可変)                         18.44
像面        ∞   
【００６４】
非球面データ
第12面
K = 8.45178e-001  A 4= 5.64142e-006  A 6= 7.45369e-008 
A 8=-1.38336e-009  A10= 1.23619e-011  
第14面
K =-1.01557e-001  A 4=-7.76908e-007  A 6=-6.54270e-008 
A 8=-1.95140e-010  
第19面
K = 6.64216e-001  A 4= 5.15408e-005  A 6= 2.33791e-007 
A 8=-9.76227e-010  A10= 1.37768e-011  
第26面
K = 0.00000e+000  A 4=-2.46987e-005  A 6=-5.66166e-009 
A 8= 1.77393e-010  A10=-5.99554e-013  
各種データ
ズーム比     4.71 
広角     中間     望遠
焦点距離      17.94    41.76    84.48  
Fナンバー      2.94     5.00     6.00  
半画角（度）  33.34    18.04     9.15  
像高          11.80    13.60    13.60  
レンズ全長    97.34   108.30   120.68  
BF            13.21    25.00    30.35  
d 5            0.58     9.85    19.17  
d13           16.03     6.07     1.28  
d22            2.62     8.68    14.20  
d25           11.61     5.39     2.39  
d27           13.21    25.00    30.35  
入射瞳位置    28.62    54.03   103.54  
射出瞳位置   -23.40   -19.82   -19.78  
前側主点位置  37.77    56.88    45.67  
後側主点位置  -4.73   -16.76   -54.13  
レンズ群データ
群   始面    焦点距離   レンズ構成長   前側主点位置   後側主点位置
L 1    1      55.69        13.60         2.13         -5.80
L 2    6     -10.15        15.19         3.18         -7.46
L 3   14      17.63        17.15         1.56        -10.03
L 4   23     -37.05         2.85         1.99          0.39
L 5   26      53.14         4.50        -1.15         -4.09
単レンズデータ
レンズ  始面  焦点距離
1       1   -145.99
2       2     92.58
3       4     68.17
4       6    -17.41
5       8    -19.70
6      10     20.10
7      12    -36.14
8      14     38.04
9      16     24.72
10      18    -24.50
11      20     30.43
12      23    -25.78
13      24     74.37
14      26     53.14
【００６５】
（数値実施例３）
単位 mm
面データ
面番号       r        d      nd         νd       有効径
1         65.228    2.00   1.94595    18.0       50.48
2         47.456    5.17   1.69680    55.5       46.53
3         88.160    0.15                         44.02
4         41.871    4.94   1.69680    55.5       39.52
5        142.283  (可変)                         38.61
6        142.378    1.20   1.88300    40.8       26.67
7         13.179    6.05                         20.00
8        -47.464    0.90   1.88300    40.8       19.75
9         35.446    0.87                         19.41
10         28.835    2.90   1.94595    18.0       19.89
11       1740.640  (可変)                         19.80
12*        15.453    5.04   1.77250    49.6       21.56
13         72.432    2.84                         20.67
14        123.084    2.65   1.59282    68.6       18.43
15        -45.869    0.12                         17.62
16        -69.440    0.70   1.84666    23.8       17.01
17*        25.116    0.07                         15.57
18         17.263    3.62   1.59282    68.6       15.59
19        -87.337    1.16                         15.15
20(絞り)    ∞     (可変)                         14.23
21        349.729    0.70   1.69350    53.2       15.09
22         17.400    2.27   1.71736    29.5       15.39
23         25.276  (可変)                         15.62
24*        19.082    4.93   1.48749    70.2       21.23
25         78.743  (可変)                         21.32
像面        ∞   
非球面データ
第12面
K =-6.46132e-001  A 4= 2.37777e-005  A 6= 6.99525e-008 
A 8= 1.74530e-010  
第17面
K = 1.62306e+000  A 4= 7.24456e-005  A 6= 5.40826e-007 
A 8=-1.74497e-009  A10= 5.28140e-011  
第24面
K = 0.00000e+000  A 4=-3.46423e-005  A 6= 3.25939e-008 
A 8=-1.62350e-010  A10= 5.24958e-013  
各種データ
ズーム比     4.71 
広角     中間     望遠
焦点距離      16.61    41.76    78.21  
Fナンバー      2.07     4.64     6.00  
半画角（度）  35.39    18.04     9.86  
像高          11.80    13.60    13.60  
レンズ全長    97.81   108.49   120.70  
BF            14.83    27.15    26.20  
d 5            2.15    14.73    26.99  
d11           22.55     7.13     1.16  
d20            2.62     7.07    16.13  
d23            7.41     4.14     1.96  
d25           14.83    27.15    26.20  
入射瞳位置    29.86    59.24   111.51  
射出瞳位置   -17.17   -17.16   -22.14  
前側主点位置  37.84    61.64    63.17  
後側主点位置  -1.78   -14.61   -52.02  
レンズ群データ
群   始面    焦点距離   レンズ構成長   前側主点位置   後側主点位置
L 1    1      75.45        12.25        -0.12         -7.17
L 2    6     -13.84        11.91         1.10         -8.51
L 3   12      20.41        16.19         1.62        -10.55
L 4   21     -40.19         2.97         1.96          0.21
L 5   24      50.30         4.93        -1.03         -4.26
単レンズデータ
レンズ  始面  焦点距離
1       1   -194.76
2       2    140.20
3       4     83.46
4       6    -16.52
5       8    -22.86
6      10     30.97
7      12     24.49
8      14     56.70
9      16    -21.71
10      18     24.63
11      21    -26.43
12      22     69.47
13      24     50.30
【００６６】
（数値実施例４）
単位 mm
面データ
面番号       r        d      nd         vd       有効径
1        119.112    2.00   1.94595    18.0       46.08
2         63.888    6.06   1.69680    55.5       44.47
3       1050.812    0.15                         43.79
4         36.880    5.34   1.69680    55.5       40.87
5        143.627  (可変)                         40.40
6         72.821    1.16   1.88300    40.8       24.35
7         12.770    5.70                         18.60
8        -28.799    1.16   1.88300    40.8       17.50
9         63.191    0.13                         18.21
10         29.919    3.12   1.94595    18.0       18.31
11        -54.899    2.75                         18.08
12*       -20.920    0.93   1.85400    40.4       16.45
13        -90.252  (可変)                         16.46
14*        21.679    3.74   1.69680    55.5       16.42
15         90.714    0.12                         15.80
16         19.575    7.47   1.59282    68.6       15.40
17        -50.307    0.12                         13.26
18         62.201    0.70   1.84666    23.8       12.67
19*        15.943    0.12                         11.94
20         15.788    4.18   1.48749    70.2       11.94
21       -101.480    1.16                         11.09
22(絞り)    ∞     (可変)                         10.43
23        272.154    0.70   1.69680    55.5       11.51
24         17.400    2.09   1.84666    23.8       11.79
25         21.457  (可変)                         11.96
26        -22.110    0.75   1.58913    61.1       13.96
27        -30.237  (可変)                         14.71
28*        21.727    4.89   1.48749    70.2       17.78
29       2085.623  (可変)                         18.65
像面        ∞   
【００６７】
非球面データ
第12面
K = 8.58338e-001  A 4= 5.57146e-006  A 6= 6.59697e-008 
A 8=-9.18752e-010  A10= 8.56606e-012  
第14面
K =-1.76906e-001  A 4=-3.03720e-006  A 6=-6.37897e-008 
A 8=-1.81295e-010  
第19面
K = 6.24337e-001  A 4= 4.57564e-005  A 6= 2.09637e-007 
A 8=-1.19599e-009  A10= 1.23599e-011  
第28面
K = 0.00000e+000  A 4=-2.30829e-005  A 6= 1.71728e-008 
A 8= 9.53180e-011  A10=-2.74176e-013  
各種データ
ズーム比     4.71 
広角     中間     望遠
焦点距離      18.04    41.76    84.96  
Fナンバー      2.94     5.00     6.00  
半画角（度）  33.19    18.04     9.09  
像高          11.80    13.60    13.60  
レンズ全長    96.81   108.02   120.68  
BF            11.81    22.76    25.78  
d 5            0.58    10.81    20.53  
d13           16.27     6.29     1.28  
d22            2.62     8.56    14.47  
d25           10.43     4.39     3.52  
d27            0.58     0.69     0.58  
d29           11.81    22.76    25.78  
入射瞳位置    28.15    55.67   107.37  
射出瞳位置   -23.83   -20.63   -24.33  
前側主点位置  37.06    57.24    48.30  
後側主点位置  -6.23   -18.99   -59.18  
レンズ群データ
群   始面    焦点距離   レンズ構成長   前側主点位置   後側主点位置
L 1    1      57.22        13.55         2.62         -5.27
L 2    6     -10.33        14.95         3.25         -7.11
L 3   14      17.23        17.59         2.05        -10.07
L 4   23     -36.03         2.78         2.06          0.49
L 5   26    -144.60         0.75        -1.34         -1.83
L 6   28      45.00         4.89        -0.03         -3.32
単レンズデータ
レンズ  始面   焦点距離
1       1   -148.28
2       2     97.38
3       4     69.78
4       6    -17.70
5       8    -22.27
6      10     20.84
7      12    -32.09
8      14     39.99
9      16     24.76
10      18    -25.50
11      20     28.36
12      23    -26.71
13      24     87.97
14      26   -144.60
15      28     45.00
【００６８】
（数値実施例５）
単位 mm
面データ
面番号       r        d      nd         vd       有効径
1         44.867    2.00   1.84666    23.8       46.40
2         33.933    7.29   1.49700    81.5       42.74
3        100.405    0.15                         41.34
4         45.199    4.53   1.60311    60.6       39.12
5        203.790  (可変)                         38.27
6        157.168    1.20   1.88300    40.8       27.68
7         13.080    6.61                         20.54
8        -43.200    0.90   1.83481    42.7       20.39
9         54.584    0.12                         20.48
10         28.087    3.05   1.92286    18.9       20.98
11*       512.023  (可変)                         20.78
12*        22.101    3.03   1.70154    41.2       20.56
13        111.773    0.12                         20.48
14*        18.689    5.81   1.48749    70.2       20.61
15        -50.930    0.12                         19.95
16         34.404    0.70   1.84666    23.8       17.74
17         12.329    0.91                         15.88
18         16.867    3.00   1.56907    71.3       15.88
19         70.034    1.15                         15.26
20(絞り)    ∞     (可変)                         14.84
21        -76.632    2.70   1.71736    29.5       16.57
22        -26.085  (可変)                         16.94
23        -15.929    0.70   1.74400    44.8       16.84
24       -123.397  (可変)                         18.06
25*        18.527    5.09   1.51633    64.1       20.72
26      -5421.636    0.52   1.67790    55.3       20.80
27         42.435  (可変)                         20.86
像面        ∞   
【００６９】
非球面データ
第11面
K = 0.00000e+000  A 4= 2.77990e-006  A 6= 5.01516e-009 
A 8= 5.35699e-011  A10=-5.29843e-013  
第12面
K =-2.15051e+000  A 4=-8.65229e-006  A 6=-1.02248e-007 
A 8= 6.50805e-011  
第14面
K =-5.58052e-002  A 4= 1.57142e-005  A 6= 1.54307e-007 
A 8=-5.37125e-010  
第25面
K = 0.00000e+000  A 4=-4.07886e-005  A 6= 9.48193e-008 
A 8=-4.32267e-010  A10=-6.16086e-014  
各種データ
ズーム比     4.71 
広角     中間     望遠
焦点距離      18.17    40.60    85.54  
Fナンバー      2.10     5.00     6.00  
半画角（度）  33.01    18.52     9.03  
像高          11.80    13.60    13.60  
レンズ全長    99.13   109.10   119.77  
BF             9.92    17.64    27.15  
d 5            2.15    15.95    24.55  
d11           24.96    12.47     2.96  
d20            9.81     7.39    11.22  
d22            1.75     3.23     3.35  
d24            0.87     2.74     0.87  
d27            9.92    17.64    27.15  
入射瞳位置    34.43    72.69   112.20  
射出瞳位置   -15.17   -16.39   -16.80  
前側主点位置  39.44    64.86    31.25  
後側主点位置  -8.25   -22.96   -58.39  
レンズ群データ
群   始面    焦点距離   レンズ構成長   前側主点位置   後側主点位置
L 1    1      71.43        13.97         1.08         -7.91
L 2    6     -15.21        11.87         0.89         -8.52
L 3   12      22.10        14.83        -0.29        -10.24
L 4   21      53.92         2.70         2.33          0.79
L 5   23     -24.65         0.70        -0.06         -0.46
L 6   25      74.08         5.61        -4.35         -7.57
単レンズデータ
レンズ  始面  焦点距離
1       1   -179.49
2       2     99.51
3       4     95.28
4       6    -16.22
5       8    -28.77
6      10     32.10
7      12     38.73
8      14     28.83
9      16    -23.03
10      18     38.26
11      21     53.92
12      23    -24.65
13      25     35.77
14      26    -62.11
以下に各数値実施例の条件式の値を示す。
【００７０】
【表１】
0006406935.tif 000003
【符号の説明】
【００７１】
Ｌ１  第１レンズ群      Ｌ２  第２レンズ群      Ｌ３  第３レンズ群
Ｌ３ａ  第３ａ群        Ｌ３ｂ  第３ｂ群        Ｌ４  第４レンズ群
Ｌ５  第５レンズ群      Ｌ６  第６レンズ群
Ｎ  中間群に含まれる、負の屈折力が最大のレンズ群
【図１】
0006406935.tif 000004
【図２】
0006406935.tif 000005
【図３】
0006406935.tif 000006
【図４】
0006406935.tif 000007
【図５】
0006406935.tif 000008
【図６】
0006406935.tif 000009
【図７】
0006406935.tif 000010
【図８】
0006406935.tif 000011
【図９】
0006406935.tif 000012
【図１０】
0006406935.tif 000013
【図１１】
0006406935.tif 000014